【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
変動表示を開始して表示結果を導出する変動表示手段を備え、該変動表示手段において予め定められた特定表示結果が導出されたときに、遊技者にとって有利な特定状態に制御する遊技機であって、
前記特定状態に制御するか否かを決定する事前決定手段と、
変動表示が開始されてから表示結果が導出されるまでの複数のタイミングにおいて、前記特定状態となる期待度を複数段階で示す期待度演出を実行可能な期待度演出実行手段と、
前記事前決定手段の決定結果に基づいて、前記期待度演出実行手段により前記期待度演出を実行するか否かと、実行する場合に前記複数のタイミングにおいて実行される期待度演出の演出態様とを決定する期待度演出決定手段とを備え、
前記期待度演出実行手段は、第１タイミングにおいて、互いに異なる演出態様に対応して前記期待度の段階を異ならせた複数の第１期待度演出のいずれかを実行可能であるとともに、前記第１タイミングよりも遅い第２タイミングにおいて、互いに異なる演出態様に対応して前記期待度の段階を異ならせた複数の第２期待度演出のいずれかを実行可能であり、
前記期待度演出決定手段は、前記第１タイミングにおいて前記複数の第１期待度演出のうちで前記期待度が第１通常段階よりも高い第１特定段階に対応した特定演出態様の第１特定期待度演出が実行される場合に、前記第２タイミングにおいて前記複数の第２期待度演出のうちで前記期待度が第２特定段階よりも低い第２通常段階に対応した通常演出態様の第２通常期待度演出が実行されないまたは実行されにくいように、前記複数のタイミングにおいて実行される期待度演出を決定し、
前記期待度演出実行手段は、前記期待度演出として、段階的に演出態様が変化することにより前記特定状態となる期待度を複数段階で予告するステップアップ予告を含む、遊技機。
【手続補正２】
【補正対象書類名】明細書
【補正対象項目名】０００１
【補正方法】変更
【補正の内容】
【０００１】
本発明は、パチンコ遊技機等の遊技機に関し、特に、変動表示を開始して表示結果を導出する変動表示手段を備え、該変動表示手段において予め定められた特定表示結果が導出されたときに、遊技者にとって有利な特定状態に制御する遊技機に関する。
【手続補正３】
【補正対象書類名】明細書
【補正対象項目名】０００６
【補正方法】変更
【補正の内容】
【０００６】
この発明は、かかる実情に鑑み考え出されたものであり、その目的は、遊技者が一旦抱いた特定状態への期待感が損なわれないようにする遊技機を提供することである。
【手続補正４】
【補正対象書類名】明細書
【補正対象項目名】０００７
【補正方法】変更
【補正の内容】
【０００７】
（１）  変動表示を開始して表示結果を導出する変動表示手段（第１特別図柄表示装置４Ａ、第２特別図柄表示装置４Ｂ、画像表示装置５）を備え、該変動表示手段において予め定められた特定表示結果（大当り表示結果）が導出されたときに、遊技者にとって有利な特定状態（大当り遊技状態）に制御する遊技機（パチンコ遊技機１）であって、
前記特定状態に制御するか否かを決定する事前決定手段（遊技制御用マイクロコンピュータ１００、ＣＰＵ１０３、図２５のＳ２４０，Ｓ２４１）と、
変動表示が開始されてから表示結果が導出されるまでの複数のタイミングにおいて、前記特定状態となる期待度を複数段階で示す期待度演出を実行可能な期待度演出実行手段（演出制御用ＣＰＵ１２０、図３０のＳ１７２，Ｓ１７３、図３６のＳ４６３）と、
前記事前決定手段の決定結果に基づいて、前記期待度演出実行手段により前記期待度演出を実行するか否かと、実行する場合に前記複数のタイミングにおいて実行される期待度演出の演出態様とを決定する期待度演出決定手段（演出制御用ＣＰＵ１２０、図３２（Ａ）のＳ５０１〜Ｓ５０９）とを備え、
前記期待度演出実行手段は、第１タイミング（全図柄変動中のタイミング等）において、互いに異なる演出態様に対応して前記期待度の段階を異ならせた複数の第１期待度演出（全図柄変動中予告等）のいずれかを実行可能であるとともに、前記第１タイミングよりも遅い第２タイミング（図柄減速時のタイミング等）において、互いに異なる演出態様に対応して前記期待度の段階を異ならせた複数の第２期待度演出（図柄減速時予告等）のいずれかを実行可能であり（Ｓ５０５〜Ｓ５０７における予告パターンの決定結果に対応して、Ｓ４３３で決定された予告演出制御パターンに基づきＳ４６３の処理を実行することにより、図１３および図１４に示すような組合せの予告演出を実行する）、
前記期待度演出決定手段は、前記第１タイミングにおいて前記複数の第１期待度演出のうちで前記期待度が第１通常段階よりも高い第１特定段階に対応した特定演出態様の第１特定期待度演出が実行される場合に、前記第２タイミングにおいて前記複数の第２期待度演出のうちで前記期待度が第２特定段階よりも低い第２通常段階に対応した通常演出態様の第２通常期待度演出が実行されないまたは実行されにくいように、前記複数のタイミングにおいて実行される期待度演出を決定し（Ｓ５０５〜Ｓ５０７で決定される予告パターンには、全図柄変動中予告が高信頼度で図柄減速時予告が低信頼度となるものが含まれていない）、
前記期待度演出実行手段は、前記期待度演出として、段階的に演出態様が変化することにより前記特定状態となる期待度を複数段階で予告するステップアップ予告を含む。
【手続補正５】
【補正対象書類名】明細書
【補正対象項目名】０００８
【補正方法】変更
【補正の内容】
【０００８】
このような構成によれば、複数のタイミングのうち所定の第１タイミングにおいて特定状態となる期待度が第１通常段階よりも高い第１特定段階に対応した特定演出態様の第１特定期待度演出が実行される場合に、第１タイミングよりも遅い第２タイミングにおいて特定状態となる期待度が第２特定段階よりも低い第２通常段階に対応した通常演出態様の第２通常期待度演出が実行されないまたは実行されにくい。これにより、第１タイミングにおいて先に実行された第１期待度演出により遊技者が一旦抱いた特定状態への期待感が、第２タイミングにおいて後に実行される第２期待度演出によって損なわれてしまうことを防止して、遊技の興趣を向上させることができる。
【手続補正６】
【補正対象書類名】明細書
【補正対象項目名】０００９
【補正方法】変更
【補正の内容】
【０００９】
（２）  遊技者が操作可能な操作手段と、
前記事前決定手段の決定結果に基づいて、変動表示中に前記操作手段が操作されたことに応じて、操作時に対応した操作対応タイミングと、該操作対応タイミングよりも遅延した遅延タイミングとのいずれかにおいて、前記特定状態となる可能性を予告する操作予告演出を実行可能な操作予告演出実行手段とをさらに備え、
前記期待度演出実行手段は、変動表示中において、前記操作予告演出が実行される以前に、前記期待度演出を前記特定状態となる可能性を予告する予告演出として実行可能であり（第２実施形態における確定予告前の信頼度予告）、
前記操作予告演出が実行される以前に実行可能な複数種類の予告演出の演出態様は、前記特定状態となる期待度が互いに異なり（図１３、図１４、図５１（Ａ））、
前記期待度演出決定手段は、前記操作予告演出を前記遅延タイミングで実行するときには、前記操作予告演出を前記操作対応タイミングで実行するときと比べて前記特定状態となる期待度が低い演出態様に決定する割合が高い（たとえば図５１（Ｂ）に示すように、遅延確定予告を実行するときには、即時確定予告を実行するときよりも、第２実施形態の予告演出決定処理において、信頼度予告の予告パターンとして低期待度の予告パターンを選択する割合が高い）。
【手続補正７】
【補正対象書類名】明細書
【補正対象項目名】００１０
【補正方法】変更
【補正の内容】
【００１０】
このような構成によれば、変動表示中に操作がされたことに応じて、操作時に対応した操作対応タイミングと、該操作対応タイミングよりも遅延した遅延タイミングとのいずれかにおいて、特定状態となる可能性を予告する操作予告演出が実行可能であるので、操作に応じて実行される操作予告演出における予告演出の面白みが向上し、遊技の興趣をより一層向上させることができる。操作予告演出を遅延タイミングで実行するときには、操作予告演出を操作対応タイミングで実行するときと比べて特定状態となる期待度が低い演出態様に決定する割合が高いので、操作予告演出が実行される以前における期待度演出において、期待度が低い演出態様となったときに、遊技者の期待感が一旦下がった後、結果的に遅延したタイミングで操作予告演出が実行されて遊技者の特定状態への期待感が向上するので、期待感の振れ幅の大きさに基づいて、遊技の興趣を向上させることができる。
【手続補正８】
【補正対象書類名】明細書
【補正対象項目名】００１３
【補正方法】変更
【補正の内容】
【００１３】
（４）  前記操作予告演出実行手段は、前記操作手段が操作されたことに応じて前記操作予告演出を実行しないとき、または、前記遅延タイミングで前記操作予告演出を実行するときに、前記操作対応タイミングにおいて、前記特定状態とならないことを特定可能な演出を実行する（図５３（Ｂ１），（Ｂ２）、第４実施形態の予告演出決定処理において、確定予告当りパターンとして遅延確定予告パターンが選択されたとき、または、確定予告ハズレパターンが選択されたときに操作対応タイミングにおいて即時仮表示を行なう）。
【手続補正９】
【補正対象書類名】明細書
【補正対象項目名】００１４
【補正方法】変更
【補正の内容】
【００１４】
このような構成によれば、操作手段が操作されたことに応じて操作予告演出を実行しないとき、または、遅延タイミングで操作予告演出を実行するときに、操作対応タイミングにおいて、特定状態とならないことを特定可能な演出が実行されるので、操作タイミングと、当該操作に対応する操作対応タイミングで特定状態とならないことを特定可能な演出との対応関係により、操作と、実行される演出との関連性について、操作予告演出について誤解を生じさせることなく演出効果を向上させることで、遊技の興趣を向上させることができる。
【手続補正１０】
【補正対象書類名】明細書
【補正対象項目名】００１７
【補正方法】変更
【補正の内容】
【００１７】
（６）  変動表示中に前記操作手段が操作されたことに応じて、前記操作予告演出とは異なる特定演出を実行可能な操作演出実行手段（第６実施形態の変動表示中演出処理において、スティックコントローラ３１Ａの操作に応じて保留記憶内容を特定可能な表示をする保留記憶予告の演出を実行する演出制御用ＣＰＵ１２０の処理）と、
前記操作予告演出実行手段で実行される前記操作予告演出と、前記操作演出実行手段で実行される前記特定演出とが重複するときに、少なくとも一方の演出の演出態様を変更する（図５５のように保留記憶予告の操作有効期間の設定時期を変更する）演出変更手段（第６実施形態の予告演出決定処理において、図５５のように、確定予告演出と保留記憶予告演出とが重複設定されたときに、確定予告演出の操作有効期間が経過した後に保留記憶予告演出の操作有効期間が設定されるように演出を変更する演出制御用ＣＰＵ１２０の処理）とをさらに備える。
【手続補正１１】
【補正対象書類名】明細書
【補正対象項目名】００２０
【補正方法】変更
【補正の内容】
【００２０】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、変動表示を開始して表示結果を導出する変動表示手段を備え、該変動表示手段において予め定められた特定表示結果が導出されたときに、遊技者にとって有利な特定状態に制御する遊技機であれば、どのような遊技機であってもよい。